(57)【要約】【課題】エレベータ乗場の戸が屋外に面している場合、吹雪の際に乗場の戸の表面に雪が付着しそれが凍結して乗場の戸の開閉に支障を来たす恐れがあるので、乗場の戸の表面に雪が付着してもそれが凍結することを防止できるエレベータ乗場の戸の凍結防止装置を得る。【解決手段】乗場出入口を開閉自在に覆い内部に空気流通路が形成された乗場の戸と、この乗場の戸の下端部と係合して乗場の戸を案内する敷居溝を有する敷居と、この敷居の下部に設けられた敷居受けと、この敷居受けに設けられ敷居を加熱するとともに上方に向かう加熱空気流を生成する加熱手段と、敷居受け及び敷居溝にそれぞれ設けられ加熱手段からの加熱空気流を乗場の戸の空気流通路に通風させる通風用の貫通孔とを備える。乗場の戸の上部に設けられ加熱空気流を外部へ放出する空気流出孔を備える。【選択図】  図２
2004345851.tif 000002
【特許請求の範囲】
【請求項１】
乗場出入口を開閉自在に覆い内部に空気流通路が形成された乗場の戸と、この乗場の戸の下端部と係合して乗場の戸を案内する敷居溝を有する敷居と、この敷居の下部に設けられた敷居受けと、この敷居受けに設けられ前記敷居を加熱するとともに上方に向かう加熱空気流を生成する加熱手段と、前記敷居受け及び敷居溝にそれぞれ設けられ前記加熱手段からの加熱空気流を前記乗場の戸の空気流通路に通風させる通風用の貫通孔とを備えたことを特徴とするエレベータ乗場の戸の凍結防止装置。
【請求項２】
乗場出入口を開閉自在に覆い内部に空気流通路が形成された乗場の戸と、この乗場の戸の下端部と係合して乗場の戸を案内する敷居溝を有する敷居と、この敷居の下部に設けられた敷居受けと、この敷居受けに設けられ前記敷居を加熱するとともに上方に向かう加熱空気流を生成する加熱手段と、前記敷居受け及び敷居溝にそれぞれ設けられ前記加熱手段からの加熱空気流を前記乗場の戸の空気流通路に通風させる通風用の貫通孔と、前記乗場の戸の上部に設けられ前記加熱空気流を外部へ放出する空気流出孔とを備えたことを特徴とするエレベータ乗場の戸の凍結防止装置。
【請求項３】
乗場の戸に形成された隙間より加熱空気流を外部へ放出させることを特徴とする請求項１記載のエレベータ乗場の戸の凍結防止装置。
【請求項４】
大容量と小容量の二つの加熱手段を並列に設け、通常の降雪期には小容量の加熱手段のみ通電させて敷居を加熱し、豪雪地或いは寒冷地等の吹雪の際には大容量の加熱手段又は大小二つの加熱手段に通電させて敷居及び乗場の戸を加熱することを特徴とする請求項１〜請求項３のいずれかに記載のエレベータ乗場の戸の凍結防止装置。
【発明の詳細な説明】
【０００１】
【発明の属する技術分野】
この発明はエレベータ乗場の戸に雪が付着して、それが凍結することを防止するエレベータ乗場の戸の凍結防止装置に関するものである。
【０００２】
【従来の技術】
従来のエレベータ乗場の戸の凍結防止装置においては、出入口を開閉する乗場の戸を案内する敷居に、この敷居を加熱する発熱体を設けたものが提案されている（例えば、特許文献１及び特許文献２参照）。また、乗場の戸が閉状態にないことを所定時間カウントしたなら発熱体を加熱し、全閉状態が検出されたなら加熱を停止するようにして発熱体の長寿命化を可能にしたものも提案されている（例えば特許文献３参照）。
【０００３】
【特許文献１】
実開昭５４−１０５１４４号公報
【特許文献２】
特開平８−５９１５７号公報
【特許文献３】
特開平１０−２７９２４１号公報
【０００４】
【発明が解決しようとする課題】
従来のエレベータ乗場の戸の凍結防止装置では、発熱体により敷居のみを加熱する構成であったため、エレベータ乗場の戸が屋外に面している場合には、吹雪の際に乗場の戸の表面に雪が付着しそれが凍結してエレベータ乗場の戸の開閉に支障を来たす恐れがあった。
【０００５】
この発明は、上述のような課題を解決するためになされたもので、エレベータ乗場の戸の表面に雪が付着してそれが凍結することを防止できるエレベータ乗場の戸の凍結防止装置を提供するものである。
【０００６】
【課題を解決するための手段】
この発明に係るエレベータ乗場の戸の凍結防止装置は、乗場出入口を開閉自在に覆い内部に空気流通路が形成された乗場の戸と、この乗場の戸の下端部と係合して乗場の戸を案内する敷居溝を有する敷居と、この敷居の下部に設けられた敷居受けと、この敷居受けに設けられ敷居を加熱するとともに上方に向かう加熱空気流を生成する加熱手段と、敷居受け及び敷居溝にそれぞれ設けられ加熱手段からの加熱空気流を乗場の戸の空気流通路に通風させる通風用の貫通孔とを備えたものである。
【０００７】
また、乗場の戸の上部に設けられ加熱空気流を外部へ放出する空気流出孔を備えたものである。
【０００８】
【発明の実施の形態】
実施の形態１．
図１はこの発明の実施の形態１におけるエレベータ乗場の戸の凍結防止装置を適用したエレベータ乗場の戸の平面図、図２は図１のＡ−Ａ線に沿う拡大断面図である。図において、エレベータ乗場の戸装置は、乗場三方枠１により囲まれた乗場出入口１ａを開閉自在に覆う高速側乗場の戸２と、低速側乗場の戸３とから構成されている。これらの戸２、３は、その内部に下方から上方へ向かって空気が流れるように空気流通路４が形成されており、その上端部には空気を外部へ放出するための空気流出孔５が設けられている。エレベータ乗場の敷居６は、高速側乗場の戸２、低速側乗場の戸３の下端部と係合してこれら乗場の戸２、３の開閉を案内する敷居溝６ａ、６ｂを備えている。上記乗場の敷居６の下方には、この敷居６を支持する敷居受け７が設けられている。また、この敷居受け７内には敷居６を加熱するとともに、上方に向かう加熱空気流を生成する加熱手段８が格納されている。上記敷居受け７はＬ字形の敷居支持部材９の上面平坦部９ａにより水平に支持されている。また、上記Ｌ字形の敷居支持部材９の下部垂直面９ｂが昇降路壁１０に強固に固定され、乗場の敷居６全体を支持している。上記乗場の敷居６の敷居溝６ａ、６ｂの底部には通風用の貫通孔１１が、また敷居受け７の貫通孔１１と対応する位置には同じく通風用の貫通孔１２がそれぞれ設けられている。従って、これらの貫通孔１１、１２により、上記高速側乗場の戸２及び低速側乗場の戸３が閉じている時に、上記敷居受け７内の加熱空気流の生成空間と乗場の戸２、３内に形成される空気流通路４との間が連通され、敷居受け７内で加熱手段８により暖められた加熱空気流は通風用の貫通孔１２及び１１、各敷居溝６ａ、６ｂを通り、高速側乗場の戸２及び低速側乗場の戸３の内部の空気流通路４を上昇して上端部の空気流出孔５から外部へ放出される。この暖められた加熱空気流が高速側乗場の戸２及び低速側乗場の戸３の内部の空気流通路４を通過する際に高速側乗場の戸２及び低速側乗場の戸３を加温するので、乗場の戸の表面に雪が付着してそれが凍結することを防止することができる。
【０００９】
降雪期になると、エレベータ作業員等により、制御盤（図示せず）に取り付けた入切スイッチ（図示せず）を閉成させ、上記加熱手段８を電源に接続する。そして、加熱手段８は電源からの通電により発熱して乗場の敷居６を加熱し、敷居溝６ａ、６ｂ内に入った雪或いは氷を融解させ、この融解で生じた水は排水孔（図示せず）から敷居溝６ａ，６ｂ外へ排出される点は従来のものと同様であるが、この発明では更に、例えば吹雪の際に乗場の戸の表面に雪が付着しそれが凍結することを防止することができる。
なお、乗場の戸は高速側乗場の戸と低速側乗場の戸とを有する片開き式の戸装置について説明したが、乗場の戸が左右両開き式の戸装置であっても良いことはもちろんである。
【００１０】
実施の形態２．
上記実施の形態１では、敷居受け７内の加熱手段８は一つとして説明したが、敷居受け７内に大容量と小容量の二つの加熱手段８を並列に設けておき、通常の降雪期には、入切スイッチ（図示せず）の操作により小容量の加熱手段のみを通電、発熱させて乗場の敷居６を加熱させるだけの従来と同様の使い方を行い、豪雪地或いは寒冷地等で通常より沢山の雪が降る吹雪の際には、入切スイッチの操作により大容量の加熱手段または大小二つの加熱手段を通電、発熱させて乗場の敷居６だけでなく、乗場の戸２、３の表面も同時に上昇する加熱空気流によって加熱するようにしてもよい。
【００１１】
【発明の効果】
この発明は以上説明したように、乗場出入口を開閉自在に覆い内部に空気流通路が形成された乗場の戸と、この乗場の戸の下端部と係合して乗場の戸を案内する敷居溝を有する敷居と、この敷居の下部に設けられた敷居受けと、この敷居受けに設けられ敷居を加熱するとともに上方に向かう加熱空気流を生成する加熱手段と、敷居受け及び敷居溝にそれぞれ設けられ加熱手段からの加熱空気流を乗場の戸の空気流通路に通風させる通風用の貫通孔とを備え、エレベータ乗場の戸が加温されるようにしたので、乗場の戸の表面に雪が付着してそれが凍結することを防止することができる。
【図面の簡単な説明】
【図１】この発明の実施の形態１におけるエレベータ乗場の戸の凍結防止装置を適用したエレベータ乗場の戸の平面図である。
【図２】図１のＡ−Ａ線に沿う拡大断面図である。
【符号の説明】
１  乗場三方枠
１ａ  乗場出入口
２  高速側乗場の戸
３  低速側乗場の戸
４  空気流通路
５  空気流出孔
６  乗場の敷居
６ａ、６ｂ  敷居溝
７  敷居受け
８  加熱手段
９  敷居支持部材
９ａ  上面平坦部
９ｂ  下部垂直面
１０  昇降路壁
１１、１２  通風用貫通孔
【図１】
2004345851.tif 000003
【図２】
2004345851.tif 000004